(57)【要約】      （修正有）【課題】カップ部の裏側にバストを支えるサポート布を設けることにより着用時にバストを美しく持ち上げるとともに、肩腕の上下運動等によりかかるサポート布がずれることなく、形態保持する効果に優れるカップ部を有する衣類を提供する。【解決手段】一対のカップ部１と、該カップ部１の下辺に縫着される土台部２と、該土台部２の端部より背中側へ延設されたバック部６と、カップ部１とバック部６とを連接する一対の肩紐４と、土台部２とバック部６の下部に縫着されたアンダー部３を備えたカップ部１を有し、前記一対のカップ部１は肩紐４との接続部からバスト中央へのラインを構成する上辺と、バスト下部のラインを構成する下辺と、肩紐４との接続部から脇へのラインを構成する脇辺からなる辺部を有し、該カップ部１の裏側には一対のサポート布５が該脇辺からアンダー部の前方中央部分にかけて設ける。【選択図】図２
0003179736.tif 000002
【実用新案登録請求の範囲】
【請求項１】
バストを被覆する一対のカップ部と、該カップ部の下辺に縫着される土台部と、該土台部の端部より背中側へ延設されたバック部と、カップ部とバック部とを連接する一対の肩紐と、土台部とバック部の下部に縫着されたアンダー部を備えたカップ部を有する衣類であって、前記一対のカップ部は少なくとも肩紐との接続部からバスト中央へのラインを構成する上辺と、バスト下部のラインを構成する下辺と、肩紐との接続部から脇へのラインを構成する脇辺からなる辺部を有し、該カップ部の裏側には緊迫力を有する一対のサポート布が該脇辺からアンダー部の前方中央部分にかけて設けられたことを特徴とするカップ部を有する衣類。
【請求項２】
前記サポート布は、その上端辺は前記カップ部脇辺に縫着され、その下端辺は前記アンダー部に縫着されるとともに、その長手辺がカップ部に縫着されずに遊離していることを特徴とする請求項１に記載のカップ部を有する衣類。
【請求項３】
前記一対のサポート布同士がアンダー部との縫着側の端部において互いに重複するように設けられていることを特徴とする請求項１または２のいずれかに記載のカップ部を有する衣類。
【請求項４】
前記サポート布が緊迫力のある弾性糸から形成される布地からなることを特徴とする請求項１ないし請求項３のいずれか１項に記載のカップ部を有する衣類。
【考案の詳細な説明】
【技術分野】
【０００１】
本考案は、女性用の下着であるブラジャーやブラキャミなどのカップ部を有する衣類に関する。
【背景技術】
【０００２】
従来、女性用の下着であるブラジャーやブラキャミなどのカップ部を有する衣類において、バストを支えるサポート布を装着してバストアップ効果に優れたものが提供されているが、従来技術ではカップを中央に寄せながらバストアップ効果を得ることを課題としているため、カップ寄せ効果に優れるものの、サポート布によるバストアップ効果は弱く、特に肩腕の上下運動によりサポート布自体がずれるなどして、形態保持性の効果が弱いものとなっていた。
【０００３】
例えば、特許文献１には、カップ本体に強パワー弾性部を縫い込み、バスト下部の中間部を引き上げることによりバストを寄せ上げる機能を有するブラジャーが開示されているが、左右のカップに縫着された強パワー弾性部がそれぞれ分離独立しているため、カップの下部にワイヤーを設けないと十分なバストアップ効果が得られないおそれがあった。さらに、肩腕の上下運動等でカップ部とともにそれぞれの強パワー弾性部が動いてしまうため、強パワー弾性部が元の位置からずれてしまい、結果的に適切な部位をサポートできないおそれがあった。
【先行技術文献】
【特許文献】
【０００４】
【特許文献１】特開２００５−２８１９２０
【考案の概要】
【考案が解決しようとする課題】
【０００５】
本考案は、従来のカップ部を有する衣類のかかる欠点を克服し、カップ部の裏側にバストを支えるサポート布を設けることにより着用時にバストを美しく持ち上げるとともに、肩腕の上下運動等によりかかるサポート布がずれることなく、ノンワイヤータイプでありながら形態保持する効果に優れるカップ部を有する衣類を提供することをその課題とするものである。
【課題を解決するための手段】
【０００６】
本考案は、上記課題を解決するものであり、バストを被覆する一対のカップ部と、該カップ部の下辺に縫着される土台部と、該土台部の端部より背中側へ延設されたバック部と、カップ部とバック部とを連接する一対の肩紐と、土台部とバック部の下部に縫着されたアンダー部を備えたカップ部を有する衣類であって、前記一対のカップ部は少なくとも肩紐との接続部からバスト中央へのラインを構成する上辺と、バスト下部のラインを構成する下辺と、肩紐との接続部から脇へのラインを構成する脇辺からなる辺部を有し、該カップ部の裏側には緊迫力を有する一対のサポート布が該脇辺からアンダー部の前方中央部分にかけて設けられたことを特徴とするカップ部を有する衣類である。
【考案の効果】
【０００７】
本考案のカップ部を有する衣類は、カップ部の裏側に設けた緊迫力を有するサポート布がカップ部脇辺とアンダー部において縫着されることにより、着用時にバストの脇から下部にかけて最も適切な位置に滑り込ませて配置することができ、バスト下部を効果的に押し上げるとともに、脇への拡がりを抑えて、バストラインを丸みのある美しいラインに保持形成することができる。
【０００８】
また、本考案のカップ部を有する衣類は、サポート布の長手辺がカップ部に縫着されず遊離した状態になっているため、カップ部の動きに対しても独立しており、運動などによる位置のずれが生じにくい。
【図面の簡単な説明】
【０００９】
【図１】本考案に係るカップ部を有する衣類の正面図。
【図２】本考案に係るカップ部を有する衣類を裏側から表した図。
【図３】本考案に係るカップ部を有する衣類の着用状態を表した図。
【考案を実施するための形態】
【００１０】
以下、本考案のカップ部を有する衣類の一実施態様について、図面に基づいて具体的に説明する。なお、本考案はこれら実施態様に何ら制約されるものではない。
【００１１】
図１は本考案に係るカップ部を有する衣類の正面図、図２は本考案に係るカップ部を有する衣類を裏側から表した図である。図中、１はカップ部、２は土台部、３はアンダー部、４は肩紐、５はサポート布、６はバック部、１１はカップ部上辺、１２はカップ部脇辺、１３はカップ部下辺、１４は接合部、５１はサポート布上端辺、５２はサポート布下端辺、５３はサポート布長手辺、５４はサポート布交差部をそれぞれ示す。        
【００１２】
図に示すように、本考案にかかるカップ部を有する衣類は、バストを被覆するカップ部１と、カップ部１の下辺に縫着される土台部２と、土台部２の端部より背中側へ延設されたバック部６により胸回りを被覆すように形成され、土台部２およびバック部６の下部にはゴム等の弾性体を包含するアンダー部３が設けられている。
【００１３】
以下、各部位について詳述する。図２に示すように、カップ部１は、肩紐４との接続部１４からバスト中央へのラインを構成する上辺１１と、バスト下部のラインを構成する下辺１３と、接続部１４から脇へのラインを構成する脇辺１２からなる辺部を備えている。カップ部１の内側には乳房を保持するパッドが設けられ（図示せず）、カップ部１の下辺１３には土台部２が縫着されている。また、カップ部１の頂部には、接続部１４において肩紐４が縫着されている。かかる肩紐４はカップ部１から肩へと延設し、背中側でバック部６の上辺に接続されている。
【００１４】
土台部２の左右端部には、脇下から背後へと連続するバック部６が縫着されている。バック部６は連続して一体に形成しても良いし、また、背中の中央部分に互いに係止可能な係止具を設けて着脱時に取り外し自在としても良い。
【００１５】
図２に示すように、カップ部１の裏側には、緊迫力を有する一対のサポート布５が設けられている。詳しくは、サポート布５はその中央部よりも上下端部がやや幅広の帯状に形成されており、その上端辺５１はカップ部脇辺１２に縫着され、その下端辺５２はアンダー部３に縫着されている。また、上端辺５１の一部はカップ部１と肩紐４の接続部１４に縫着されている。そして、サポート布５の長手辺５３はいずれもカップ部１には縫着されていないため、サポート布５は、その上下端部を除いてカップ部１から遊離した状態となっている。
【００１６】
サポート布５は、左右のカップ部脇辺１２からアンダー部３の中央部分にかけて、着用時にバスト下部を支持するように略Ｖ字形状に設けられており、その下端の一部において、サポート布５同士が互いに重なり合って重複部５４を形成している。本実施態様では、下端辺５２の一部が重複するように設けられているが、下端辺５２の全部において重複するよう設けてもよい。このように、下端辺５２の一部もしくは全部を重複するよう設けることにより、サポート布５のバストに対する支持力が向上するため好ましい。
【００１７】
このように、カップ部１の脇辺１２からアンダー部３の前方中央部分にかけて略Ｖ字形状に形成することにより、サポート布５が着用時にバストの脇から下部にかけて最も適切な位置に滑り込ませることができ、図３に示すような方向に緊迫力が働く。その結果、バスト下部を押し上げ、脇への拡がりを抑えて、バストラインを丸みのある美しいラインに保持形成することができる。より具体的には、バストの重みに対して、サポート布５がカップ部脇辺１２と接合部１４の縫着部分で引っ張り上げると共に、アンダー部３との縫着部分で引張り支える。更に、肩腕の上下運動による上方向への引張りに対しては、アンダー部３との縫着で引っ張り下ろすと共に、遊離したサポート布５の長手辺５３で力を吸収し、元の状態に戻す。このように、サポート布５は長手辺５３が縫着されず遊離しているため、カップ部１の動きに対しても独立しており、その結果、運動などによる位置のずれが生じにくい。
【００１８】
サポート布５の材質としては、一定の緊迫力を有するものであれば良いが、緊迫力のある弾性糸から形成される布地が好ましく、一例としてパワーネットがあげられる。さらにサポート布５は、バストの保形性を高めるため、その長手方向を二つ折りや三つ折りにしたり、緊迫力が同一の複数の布地同士や、または緊迫力が異なる複数の布地同士を重ね合わせて形成し、補強することができる。
【００１９】
本考案にかかるカップ部を有する衣類は、上述のブラジャーとして最も効果的に用いることができるが、これに限らず、いわゆるキャミブラタイプのものや、スポーツタイプのハーフトップなどカップ部を有する衣類であれば適用することができる。
【符号の説明】
【００２０】
１……カップ部
２……土台部
３……アンダー部
４……肩紐
５……サポート布
６……バック部    
１１……カップ部上辺
１２……カップ部脇辺
１３……カップ部下辺
１４……接合部
５１……サポート布上端辺
５２……サポート布下端辺
５３……サポート布長手辺
５４……サポート布重複部
【図１】
0003179736.tif 000003
【図２】
0003179736.tif 000004
【図３】
0003179736.tif 000005